(57)【要約】【課題】電線が端子板に確実に接続されたことを表示して施工者に安心感を与える。【解決手段】端子板１と電線１１０との接続が完了すると解除レバー３０の操作部３１が初期位置よりも下方の位置に移動することで電線の接続完了表示を視覚的に確認することができる。また第２の連結部３６が器体１００の立壁１０９表面に衝突する際に発生する音（衝突音）によって聴覚的にも確認することができる。しかも、軸部３２の前面を平坦と、電線接続時に鎖錠片４のばね力で反操作方向に回動する際に端子板１と接触しない形状および寸法に解除レバー３０を形成しているため、端子板１との接触によって解除レバー３０の動きが阻害されることがないから電線の接続完了表示が確実に行える。【選択図】        図１
2006066223.tif 000002
【特許請求の範囲】
【請求項１】
配線器具の器体に貫設した電線挿入孔を通して器体に導入される電線に接触する端子板と、ばね力を利用して該端子板との間で前記電線を保持するとともに鎖錠部が該電線に接触して抜け止めする接続手段と、該接続手段による抜け止め状態を解除する解除手段とを備え、該解除手段は、前記器体の表面に露出して手動操作される操作部と、器体内に枢支されて該操作部を回動自在とする軸部と、該軸部を支点に前記操作部が手動操作によって回動したときにばね力に抗して前記接続手段の電線に接触した前記鎖錠部を該電線から引き離す向きに押し動かす押動部とを具備した解除レバーからなり、該解除レバーを反操作方向に弾性付勢する付勢手段と、該付勢手段の付勢力に抗して前記操作部が電線の接続完了時と異なる回動位置にて前記解除レバーをラッチするとともに前記電線挿入孔を通して器体に導入された電線が前記接続手段により前記端子板と接続されたときに当該電線によってラッチ状態が解除されるラッチ手段とを備え、前記ラッチ手段は、器体内に設けられた被係止部と、前記解除レバーに設けられて前記被係止部に係止するとともに器体に導入された電線の先端部で押されて被係止部との係止が外れる係止部とを有し、前記解除レバーは、前記ラッチ手段のラッチ状態が解除されて付勢手段の付勢力で軸部を支点に操作部が回動する際に前記端子板と接触しない形状および寸法に形成されたことを特徴とする速結端子装置。
【請求項２】
前記解除レバーが操作されたときに前記押動部が前記鎖錠部を押し動かす距離を規制する規制手段を備えたことを特徴とする請求項１記載の速結端子装置。
【請求項３】
互いに操作方向を揃えて隣り合うように前記器体に収納される複数の前記解除レバーと、前記器体内において隣り合う複数の前記解除レバーの間に設けられて当該解除レバー同士が干渉するのを防ぐ干渉防止リブとを備えたことを特徴とする請求項１記載の速結端子装置。
【請求項４】
前記解除レバーは、前記操作部が回動する際に前記器体に摺接して前記軸部を支持する支持部を具備することを特徴とする請求項１記載の速結端子装置。
【請求項５】
前記ラッチ手段がラッチ状態にあるときに前記押動部の鎖錠部と当たる面に段差を設けたことを特徴とする請求項１記載の速結端子装置。
【請求項６】
電線の導入方向と交差する方向における前記鎖錠部の幅寸法を電線の直径よりも大きい寸法とし、該幅方向における前記鎖錠部の中央部分を電線に接触させるとともに電線に近付く向きに突出する突部を該鎖錠部の幅方向における両端部に設けたことを特徴とする請求項１記載の速結端子装置。
【請求項７】
前記接続手段は、略平坦に形成され、電線を挟んで前記鎖錠部と対向するとともに該電線に接触する接触面を有することを特徴とする請求項１記載の速結端子装置。
【請求項８】
前記解除レバーは、前記ラッチ手段のラッチ状態が解除されて操作部が回動する際に器体に衝突して音を発することを特徴とする請求項１記載の速結端子装置。
【発明の詳細な説明】
【技術分野】
【０００１】
本発明は、速結端子装置に関するものである。
【背景技術】
【０００２】
従来、スイッチやコンセントのような配線器具においては、器体に設けた電線挿入孔を通して器体内に導入された電線を接続するために速結端子装置が広く用いられている。この種の速結端子装置は従来周知であって、スイッチにおける接点やコンセントにおける刃受などと電気的に接続された端子板と、端子板との間で電線（導体）を保持して電線と端子板を電気的に接続すると同時に電線を鎖錠して抜け止めする鎖錠ばねと、器体に設けた操作孔を通してドライバような工具で操作されて鎖錠ばねによる鎖錠を解除する解除釦とで構成されている（例えば、特許文献１参照）。
【特許文献１】特開平１１−１８５９０５号公報（段落００１４、図１）
【発明の開示】
【発明が解決しようとする課題】
【０００３】
ところが上記従来の速結端子装置は、電線が確実に接続されているのか否かが外部から分からないため、施工者に対して不安感を与えるという問題があった。
【０００４】
本発明は上記事情に鑑みて為されたものであり、その目的は、電線が端子板に確実に接続されたことを表示して施工者に安心感を与えることができる速結端子装置を提供することにある。
【課題を解決するための手段】
【０００５】
請求項１の発明は、上記目的を達成するために、配線器具の器体に貫設した電線挿入孔を通して器体に導入される電線に接触する端子板と、ばね力を利用して該端子板との間で前記電線を保持するとともに鎖錠部が該電線に接触して抜け止めする接続手段と、該接続手段による抜け止め状態を解除する解除手段とを備え、該解除手段は、前記器体の表面に露出して手動操作される操作部と、器体内に枢支されて該操作部を回動自在とする軸部と、該軸部を支点に前記操作部が手動操作によって回動したときにばね力に抗して前記接続手段の電線に接触した前記鎖錠部を該電線から引き離す向きに押し動かす押動部とを具備した解除レバーからなり、該解除レバーを反操作方向に弾性付勢する付勢手段と、該付勢手段の付勢力に抗して前記操作部が電線の接続完了時と異なる回動位置にて前記解除レバーをラッチするとともに前記電線挿入孔を通して器体に導入された電線が前記接続手段により前記端子板と接続されたときに当該電線によってラッチ状態が解除されるラッチ手段とを備え、前記ラッチ手段は、器体内に設けられた被係止部と、前記解除レバーに設けられて前記被係止部に係止するとともに器体に導入された電線の先端部で押されて被係止部との係止が外れる係止部とを有し、前記解除レバーは、前記ラッチ手段のラッチ状態が解除されて付勢手段の付勢力で軸部を支点に操作部が回動する際に前記端子板と接触しない形状および寸法に形成されたことを特徴とする。
【０００６】
この発明によれば、電線の接続が完了していない状態では操作部が電線の接続完了時と異なる回動位置で解除レバーがラッチ手段にラッチされているが、接続手段によって端子板と接続される位置まで電線が器体に導入されると当該電線によってラッチ手段のラッチ状態が解除され、付勢手段によって弾性付勢されている解除レバーが反操作方向に回動して操作部の位置が変化するため、操作部の位置の違いによって電線が端子板に確実に接続されたことが表示できて施工者に安心感を与えることができる。しかも、解除レバーがラッチ手段のラッチ状態が解除されて付勢手段の付勢力で軸部を支点に操作部が回動する際に端子板と接触しない形状および寸法に形成されているため、端子板との接触によって解除レバーの動きが阻害されることがないから電線の接続完了表示が確実に行える。
【０００７】
請求項２の発明は、請求項１の発明において、前記解除レバーが操作されたときに前記押動部が前記鎖錠部を押し動かす距離を規制する規制手段を備えたことを特徴とする。
【０００８】
この発明によれば、押動部が必要以上に鎖錠部を押し動かすのを防ぐことができる。
【０００９】
請求項３の発明は、請求項１の発明において、互いに操作方向を揃えて隣り合うように前記器体に収納される複数の前記解除レバーと、前記器体内において隣り合う複数の前記解除レバーの間に設けられて当該解除レバー同士が干渉するのを防ぐ干渉防止リブとを備えたことを特徴とする。
【００１０】
この発明によれば、隣り合う複数の解除レバー同士が干渉して動かなくなるのを防ぐことができる。
【００１１】
請求項４の発明は、請求項１の発明において、前記解除レバーは、前記操作部が回動する際に前記器体に摺接して前記軸部を支持する支持部を具備することを特徴とする。
【００１２】
この発明によれば、解除レバーを安定して回動させることができる。
【００１３】
請求項５の発明は、請求項１の発明において、前記ラッチ手段がラッチ状態にあるときに前記押動部の鎖錠部と当たる面に段差を設けたことを特徴とする。
【００１４】
この発明によれば、ラッチ手段がラッチ状態となるまでの解除レバーの回動量にばらつきがあっても、押動部の鎖錠部と当たる面に設けた段差によって、鎖錠部が必要以上に押し動かされるのを防ぐことができる。
【００１５】
請求項６の発明は、請求項１の発明において、電線の導入方向と交差する方向における前記鎖錠部の幅寸法を電線の直径よりも大きい寸法とし、該幅方向における前記鎖錠部の中央部分を電線に接触させるとともに電線に近付く向きに突出する突部を該鎖錠部の幅方向における両端部に設けたことを特徴とする。
【００１６】
この発明によれば、鎖錠部の幅方向における両端部に設けた突部によって鎖錠部の幅方向における中央部分に電線を案内することができる。
【００１７】
請求項７の発明は、請求項１の発明において、前記接続手段は、略平坦に形成され、電線を挟んで前記鎖錠部と対向するとともに該電線に接触する接触面を有することを特徴とする。
【００１８】
この発明によれば、電線との接触面積を増やすことで接触信頼性が向上する。
【００１９】
請求項８の発明は、請求項１の発明において、前記解除レバーは、前記ラッチ手段のラッチ状態が解除されて操作部が回動する際に器体に衝突して音を発することを特徴とする。
【００２０】
この発明によれば、ラッチ手段のラッチ状態が解除されて解除レバーが反操作方向に回動すると解除レバーが器体に衝突して音を発するため、この音によって電線の接続完了表示を聴覚的にも確認することができる。
【発明の効果】
【００２１】
本発明によれば、電線の接続が完了していない状態では操作部が電線の接続完了時と異なる回動位置で解除レバーがラッチ手段にラッチされているが、接続手段によって端子板と接続される位置まで電線が器体に導入されると当該電線によってラッチ手段のラッチ状態が解除され、付勢手段によって弾性付勢されている解除レバーが反操作方向に回動して操作部の位置が変化するため、操作部の位置の違いによって電線が端子板に確実に接続されたことが表示できて施工者に安心感を与えることができ、しかも、解除レバーがラッチ手段のラッチ状態が解除されて付勢手段の付勢力で軸部を支点に操作部が回動する際に端子板と接触しない形状および寸法に形成されているため、端子板との接触によって解除レバーの動きが阻害されることがないから電線の接続完了表示が確実に行えるという効果がある。
【発明を実施するための最良の形態】
【００２２】
以下、本発明に係る速結端子装置をコンセントの端子部に適用した実施形態について図面を参照して詳細に説明する。但し、配線器具はコンセントに限定されるものではなく、例えばスイッチなどのコンセント以外の配線器具にも本発明の技術思想が適用可能であることは言うまでもない。
【００２３】
図２に示すように、器体１００は耐トラッキング性に優れた熱硬化性合成樹脂を用いて前面が開放された直方体状に形成されたボディ１０１と、同じく耐トラッキング性に優れた熱硬化性合成樹脂を用いて後面が開放された直方体状に形成されたカバー１０２とを結合することにより形成される。
【００２４】
図４に示すように、ボディ１０１は長手方向の中間部に設けた仕切壁１０３により内部空間が２分されるとともに、長手方向に沿った両側面に平面視矩形の組立突起１０１ａが長手方向の両端部に突設されている。また、図５に示すようにカバー１０２内にも仕切壁１０４が形成され、カバー１０２の長手方向に沿った両端部からは矩形の組立片１０２ａが後方に向かって垂設されている。そして、ボディ１０１の前面とカバー１０２の後面を向き合わせて両者を結合すれば、カバー１０２の４つの組立片１０２ａに貫設されている矩形の組立孔１０２ｂにボディ１０１の４つの組立突起１０１ａが各々嵌合して器体１００が組み立てられる。このとき、ボディ１０１の仕切壁１０３とカバー１０２の仕切壁１０４とによって器体１００の内部空間が独立した２室に分割される。カバー１０２の前面には、プラグの並行平板形の栓刃が差し込まれる一対の差込口１０２ｃが貫設され、カバー１０２内には差込口１０２ｃに差し込まれた栓刃を受ける一対の刃受（図示せず）が収納されている。また、ボディ１０１内において仕切壁１０３を介して形成された一対の収納室１０５には、刃受と電線を導通させるための端子部Ａがそれぞれ収納される。
【００２５】
本実施形態の速結端子装置たる端子部Ａは、端子板１と解除レバー３０とで構成される。端子板１は、図１，図２，図６に示すように短冊状の主片２と、主片２の長手方向に沿った一方の端縁から下方へ垂下された一対の接触片３と、主片２の長手方向に沿った他方の端縁から下方へ垂下された略Ｊ字形の一対の鎖錠片４とを有し、弾性を有する帯状の金属板を加工して接触片３の先端部と鎖錠片４の先端部がそれぞれ交差するように折り曲げて一体に形成される。接触片３には電線に接触する平坦な接触面３ａと、先端を鎖錠片４から離れる向きに曲げ起こしてなる被係止部６とが設けられ、被係止部６と主片２の間には後述する電線挿入孔１０６と対向し電線が挿通される挿通部５が形成されている。また、接触片３に対して内側に位置する鎖錠片４には、電線を接触片３の方へ押圧するとともに電線の一部に接触して抜け止めする鎖錠部４ａが先端に設けられ、鎖錠部４ａよりも下方の部位に電線（接触片３）から離れる向きに凸となる曲げ部４ｂが設けられている。また電線の導入方向と交差する方向（図６（ａ）の左右方向）における鎖錠部４ａの幅寸法を電線の直径よりも大きい寸法とし、幅方向における鎖錠部４ａの中央部分を電線に接触させるとともに電線に近付く向きに突出する一対の突部４ｃが鎖錠部４ａの幅方向における両端部に設けてあり、これら一対の突部４ｃが解除レバー３０によって押圧される。なお、鎖錠部４ａの中央部分が接触片３に対向するとともに一対の突部４ｃが接触片３と対向しないように接触片３の幅寸法が鎖錠片４の幅寸法よりも小さく設定されている。
【００２６】
解除レバー３０は合成樹脂成型品からなり、図７および図８に示すように棒状の操作部３１と、一対の軸部３２と、操作部３１の両端から突出してそれぞれ軸部３２と連結する連結部３４と、各軸部３２の互いに対向する側面より突出する押動部３３と、連結部３４の端縁より操作部３１と反対向きに突出する一対の腕部３５と、これら一対の腕部３５の先端を連結する第２の連結部３６と、第２の連結部３６より連結部３４と同じ向きに突出する略四角柱状の係止部３７とが一体に形成されている。軸部３２は、前面（図７（ａ）における上面）が平坦であり、且つ後面（図７（ａ）における下面）の両端部には互いに曲率半径が異なる円弧状の曲面３２ａ，３２ｂが形成されている。そして、図９に示すようにボディ１０１の収納室１０５における底面に設けられた軸受け台１０７に先端側の曲面３２ａを当接するようにして載置されることで軸部３２が回動自在に支持される。
【００２７】
一方、図２および図４に示すように、器体１００（ボディ１０１）の長手方向に対向する両側面には収納室１０５と通じる３つの縦溝１０４が設けられており、解除レバー３０は縦溝１０４を通して連結部３４並びに操作部３１が器体１００の外に露出され、押動部３３が端子板１の鎖錠片４における突部４ｃと対向し、収納室１０５内に設けられた軸受け台１０７に軸部３２を載置することにより、軸部３２を支点に器体１００の前後方向（図１における上下方向）に沿って回動自在に配設される。尚、図２および図３に示すように、収納室１０５には互いに鏡像の関係となる２つの解除レバー３０が軸部３２を隣り合わせるように並べて配設される。
【００２８】
ところで、電線１１０が接続されていない状態においては、図１（ａ）に示すように係止部３７が端子板１の被係止部６に係止（ラッチ）する回動位置まで解除レバー３０が回動させてある（以下、この回動位置を「初期位置」と呼ぶ）。解除レバー３０が初期位置にあるときは端子板１の突部４ｃが押動部３３に押動されて鎖錠片４が接触片３から離れる向きに撓んだ状態にある。このとき鎖錠片４のばね力によって解除レバー３０が反操作方向（図１における反時計回り）に弾性付勢されるが、係止部３７が端子板１の被係止部６に係止しているために解除レバー３０は初期位置に保持されることになる。
【００２９】
そして、図１（ｂ）（ｃ）に示すように電線挿入孔１０６を通して電線１１０の導体１１１を接触片３と鎖錠片４との間に導入すると、挿通部５を通して導体１１１の先端が解除レバー３０の係止部３７に当接し、係止部３７を押し上げて係止部３７と被係止部６とのラッチ状態を解除する。すると、図１（ｄ）（ｅ）に示すように鎖錠片４のばね力で弾性付勢されていた解除レバー３０が反操作方向に回動し、鎖錠片４の鎖錠部４ａが導体１１１に接触することによって電線１１０が抜け止めされるとともに鎖錠片４のばね力によって導体１１１が接触片３に弾接する。さらに導体１１１は接触片３によって鎖錠片４の方へ押圧され、鎖錠部４ａと接触片３の押圧力が均衡して電線１１０が保持される。また鎖錠片４のばね力で反操作方向に回動した解除レバー３０は、やがて第２の連結部３６が器体１００（具体的には、隣り合う縦溝１０４間にあって解除レバー３０の操作部３１、連結部３４、腕部３５、第２の連結部３６で囲まれた開口内に位置する立壁１０９の内側面）に当たって停止するが、その際に音（衝突音）を発生する（図１（ｆ）参照）。尚、本実施形態では、電線１１０の導入方向と交差する方向における鎖錠部４ａの幅寸法を導体１１１の直径よりも大きい寸法とし、幅方向における鎖錠部４ａの中央部分を導体１１１に接触させるとともに導体１１１に近付く向きに突出する突部４ｃを鎖錠部４ａの幅方向における両端部に設けているから、これら２つの突部４ｃによって鎖錠部４ａの幅方向における中央部分に導体１１１を案内して導体１１１と端子板１（接触片３および鎖錠片４）との位置がずれるのを防ぐことができ、しかも鎖錠部４ａを導体１１１から引き離す際に必要な解除レバー３０の回動量を減らして端子板１との干渉も防ぐことができる。
【００３０】
一方、電線１１０が接続された状態で操作部３１を上方へ押し上げるように操作すれば、軸部３２を支点にして解除レバー３０が接続時と反対方向（図１における時計回り）に回動し、押動部３３が端子板１の突部４ｃを押圧して導体１１１に接触している鎖錠部４ａを導体１１１から離すように鎖錠片４を撓ませて電線１１０の引き抜きが可能となる。尚、操作部３１を操作して解除レバー３０を回動させた際、軸部３２前面の先端部が端子板１の鎖錠片４と当接し、押動部３３が鎖錠部４ａを押し動かす距離を規制しているため、押動部３３が必要以上に鎖錠部４ａを押し動かして端子板１の鎖錠片４のへたりが増加したり、あるいは鎖錠片４が塑性変形することを防ぐことができる。
【００３１】
而して本実施形態によれば、端子板１と電線１１０との接続が完了すると解除レバー３０の操作部３１が初期位置よりも下方の位置に移動することで電線の接続完了表示を視覚的に確認することができるとともに、解除レバー３０の第２の連結部３６が器体１００（立壁１０９）に衝突する際に発生する音（衝突音）によって聴覚的にも確認することができ、しかも、電線１１０の接続を解除するための解除レバー３０を電線１１０の接続完了表示に兼用することで部品点数の増加を抑えることができる。ここで、図１０に示すように軸部３２の前方に略扇形の支持部３８を一体に設け、この支持部３８を端子板１の主片２に摺接させることで解除レバー３０の回動を安定させることも可能であるが、操作部３１を手で操作して解除レバー３０を回動する際には特に支障はないものの、電線接続時に鎖錠片４のばね力で解除レバー３０が反操作方向に回動する際に支持部３８と端子板１との摺接で生じる抵抗によって解除レバー３０の回動が阻害され、場合によっては操作部３１が器体１００の表面に衝突する位置まで回動しないことが考えられる。これに対して本実施形態では、軸部３２の前面を平坦とすることにより、電線接続時に鎖錠片４のばね力で反操作方向に回動する際に端子板１と接触しない形状および寸法に解除レバー３０が形成されているため、上述の支持部３８を設けた構成のように端子板１との接触によって解除レバー３０の動きが阻害されることがないから電線の接続完了表示が確実に行える。また本実施形態では、図９に示すように軸受け台１０７の中央から前方へ向けて干渉防止リブ１０７ａが突設してあり、図１１に示すように隣り合わせに器体１００に配設された２つの解除レバー３０の軸部３２の間を干渉防止リブ１０７ａにより隔絶することによって、これら２つの解除レバー３０同士が干渉してスムーズに回動しなかったり、或いは全く回動しなくなることがないようにしている。さらに本実施形態では、図９および図１１に示すように軸部３２の後端側の曲面３２ｂに摺接して軸部３２を支持する支持部１０８をボディ１０１の収納室１０５内壁面に形成しているため、解除レバー３０に支持部３８を設けなくても解除レバー３０を安定して回動させることができる。
【００３２】
ところで、解除レバー３０の部品公差のばらつきなどが原因で解除レバー３０を初期位置まで移動させる際の回動量が異なる場合があり、この回動量が大きくなり過ぎると押動部３３が鎖錠部４ａを押し動かす距離も増加するため、押動部３３が必要以上に鎖錠部４ａを押し動かして端子板１の鎖錠片４のへたりが増加したり、あるいは鎖錠片４が塑性変形する虞がある。そこで本実施形態では、解除レバー３０が初期位置にあるときに押動部３３の鎖錠部４ａと当たる面に段差３３ａを設けている。すなわち、図１２に示すように押動部３３の鎖錠部４ａと当たる面に段差３３ａを設けずに平坦面とした場合、解除レバー３０を初期位置（図１２（ａ）参照）からさらに回動させると押動部３３の当接面も移動して鎖錠部４ａがさらに動かされることになる（図１２（ｂ）参照）。しかしながら、押動部３３の鎖錠部４ａと当たる面に段差３３ａを設け、段差３３ａよりも上側の当接面を鎖錠部４ａに近付く向きに傾斜させることによって、図１３に示すように解除レバー３０を初期位置（図１３（ａ）参照）からさらに回動させた場合においても、図１３（ｂ）に示すように鎖錠部４ａが段差３３ａより上側の当接面に沿って段差３３ａのところまで移動可能となるから、押動部３３が移動しても鎖錠部４ａが動かされることがないものである。
【００３３】
尚、本実施形態では１個モジュール寸法の器体１００に一対の差込口１０２ｃを備えた埋込型のコンセントを例示したが、例えば、図１４に示すように３個モジュール寸法の器体に接地極用の差込口１０２ｄを含む２組の差込口１０２ｃ，１０２ｃ，１０２ｄを備えた埋込型のコンセントの端子部にも本発明の速結端子装置が適用可能であることは言うまでもない。
【図面の簡単な説明】
【００３４】
【図１】本実施形態の要部を示し、（ａ）は初期位置の断面図、（ｂ）は初期位置で電線を導入し始めた状態の断面図、（ｃ）は初期位置で電線（導体）の先端が係止部に当たった状態の断面図、（ｄ）は電線（導体）の先端に押されて係止部と被係止部との係止が外れた状態の断面図、（ｅ）は解除レバーが回動する途中の断面図、（ｆ）は解除レバーが停止して電線の接続が完了した状態の断面図である。
【図２】同上の一部省略した分解斜視図である。
【図３】同上を示し、（ａ）は斜め前方から見た斜視図、（ｂ）は斜め後方から見た斜視図である。
【図４】同上におけるボディを示し、（ａ）は正面図、（ｂ）は下面図、（ｃ）は背面図、（ｄ）は右側面図である。
【図５】同上におけるカバーを示し、（ａ）は正面図、（ｂ）は下面図、（ｃ）は背面図、（ｄ）は右側面図である。
【図６】同上における端子板を示し、（ａ）は正面図、（ｂ）は上面図、（ｃ）は下面図、（ｄ）は右側面図、（ｅ）は背面図である。
【図７】同上における解除レバーを示し、（ａ）は正面図、（ｂ）は上面図、（ｃ）は左側面図、（ｄ）は下面図、（ｅ）は右側面図である。
【図８】同上における解除レバーの斜視図である。
【図９】同上におけるボディの一部省略した斜視図である。
【図１０】同上の比較例を示す平面図である。
【図１１】同上におけるボディと解除レバーを示す一部省略した平面図である。
【図１２】同上の比較例の動作を説明する説明図である。
【図１３】同上の動作を説明する説明図である。
【図１４】本発明の速結端子装置を備えた３個モジュール寸法のコンセントを示す斜視図である。
【符号の説明】
【００３５】
１  端子板
３  接触片
４  鎖錠片
４ａ  鎖錠部
４ｃ  受け部
５  挿通部
６  被係止部
３０  解除レバー
３１  操作部
３２  軸部
３３  押動部
３７  係止部
【図１】
2006066223.tif 000003
【図２】
2006066223.tif 000004
【図３】
2006066223.tif 000005
【図４】
2006066223.tif 000006
【図５】
2006066223.tif 000007
【図６】
2006066223.tif 000008
【図７】
2006066223.tif 000009
【図８】
2006066223.tif 000010
【図９】
2006066223.tif 000011
【図１０】
2006066223.tif 000012
【図１１】
2006066223.tif 000013
【図１２】
2006066223.tif 000014
【図１３】
2006066223.tif 000015
【図１４】
2006066223.tif 000016